Podtech/llm-jp-corpus-v4-ja_patent huggingface dataset:
(57)【要約】      （修正有）【課題】軸流ファンと対向して設置された、通風抵抗が低く、風量の低下を小さくした冷却効率の高いヒートシンク構造を提供する。【解決手段】ヒートシンク配置構造は、熱源６と、熱源を冷却するためのヒートシンク４と、ヒートシンクと対向する位置にあってヒートシンクに送風するファン１とを有する。ファンの旋回方向Ａと同一の方向にフィン５が傾斜して配置し、痛風抵抗を小さくする。【選択図】図１
2018060955.tif 000002
【特許請求の範囲】
【請求項１】
熱源と、
熱源を冷却するためのヒートシンクと、 
ヒートシンクと対向する位置にあってヒートシンクに送風するファンとを有し、 
ファンからの送風方向に沿う方向にフィンが配置されていることを特徴とする
ヒートシンク。
【請求項２】
前記ヒートシンクの周辺部に発熱体が配置されていることを特徴とする
請求項１に記載のヒートシンク。
【請求項３】
前記発熱体が電気素子であることを特徴とする
請求項１または２に記載のヒートシンク。
【発明の詳細な説明】
【技術分野】
【０００１】
本発明は軸流ファンと対向する位置にあるヒートシンクの形状に関するものである。
【背景技術】
【０００２】
近年、電化製品において電気素子の処理能力向上、筺体の小型化に伴い、筺体内の熱密度が大きくなっている。熱密度が大きくなると自然放熱では十分に冷却することができないため、電気素子の温度が上昇して電気素子の寿命が短くなる。そのため、ファンとヒートシンクを組み合わせた強制冷却方式が増加している。
【０００３】
特許文献１に記載のファン付きヒートシンクでは、熱交換効率の良く、しかも生産性の高いファン付きヒートシンクを提供することを目的として、フィンの板面方向に沿って送風するように多数の相互に平行な板状のフィンが配置されている。これにより、ヒートシンクのフィン近傍の高温空気と外気を熱交換することで冷却している。
【先行技術文献】
【特許文献】
【０００４】
【特許文献１】特開2002-261209号公報
【発明の概要】
【発明が解決しようとする課題】
【０００５】
軸流ファンは羽根の回転により空気を押し出すことで空気の流れを形成する。軸流ファンからヒートシンクに吹き付ける風は、まっすぐではなくファンの回転方向に合わせた旋回流である。そのため、従来タイプのファンに対しまっすぐに立てられたヒートシンクは衝突により通風抵抗が高くなり風量が低下する。
【０００６】
一般的にヒートシンクと軸流ファンの距離を十分に取ることで、軸流ファンからの風は整流されフィン全体に風が流れるが、製品のレイアウト上、ファンとヒートシンクに十分な距離を確保することが困難な場合が多い。特許文献１のようにファンとヒートシンクのフィンが近傍に配置されている場合、軸流ファンからの風は整流されずフィンの一部にしか風が流れずフィン全体が十分に機能しないため、質量当たりの冷却効率が低い。
【課題を解決するための手段】
【０００７】
そこで上記課題を解決するために、熱源と、熱源を冷却するためのヒートシンクと、ヒートシンクと対向する位置にあってヒートシンクに送風するファンとを有し、ファンの旋回方向と同一の方向にフィンが傾斜して配置されていることを特徴とする。
【発明の効果】
【０００８】
本発明によれば、軸流ファンと対向するヒートシンクにおいて、風の流れに沿うようにフィンに傾斜をつけて配列した。それにより、軸流ファンとヒートシンクを近接に配置しても、ヒートシンクのフィン全体が機能し、十分な冷却効果が可能となる。
【図面の簡単な説明】
【０００９】
【図１】本発明の実施形態１におけるヒートシンクおよびファンの斜視図
【図２】本発明の実施形態１におけるヒートシンクの斜視図
【図３】本発明の実施形態２におけるヒートシンクの斜視図
【図４】本発明の実施形態２におけるヒートシンクと基板の上面図
【図５】従来におけるヒートシンクの斜視図
【図６】従来におけるヒートシンクと基板の上面図
【発明を実施するための形態】
【００１０】
以下に、本発明の好ましい実施の形態を、添付の図面に基づいて詳細に説明する。
【００１１】
［実施例］
図１に示すように、ファン１とヒートシンク４は不図示の保持部材によって対向する位置に設置されており、ヒートシンク４のファン１と反対側の面には電気素子等の熱源６が取り付けられている。羽根３が回転することで空気が押し出されてヒートシンク４に風が流れ、ヒートシンク４が熱源６から奪った熱はフィン５の表面から熱交換により大気中へ放熱される。
【００１２】
ここで、一般的にファン１は羽根２の回転により周辺の空気を押しのけることで送風している。すなわちファン１からの風はファンの回転方向（Ａ）と同一な方向の旋回流（Ｂ）である。ファン１とヒートシンク４が近接している場合、ファン１からの風は整流されずに旋回流（Ｂ）のままヒートシンク４に流れる。そのため、図５に示すように従来型の垂直にフィン１３が立てられたヒートシンク１２では、旋回流（Ｂ）がフィン１３に衝突することで通風抵抗が高くなり、ファン１とヒートシンク１２の間の圧力が高まる。結果、ファン１からの風量が低くなりヒートシンク１２の冷却性能は低下する。
【００１３】
そこで本発明では、ファン１からの送風方向（Ｂ）に沿う方向にフィン５を配置する。これにより、ファン１からの風はフィン５により整流されるため、通風抵抗が抑制されファン１とヒートシンク４間の圧力の増加量は小さい。結果、従来のフィン１３が垂直に立てられたヒートシンク１２と比して、本発明ではファン１からの風量が大きい分、ヒートシンク４の冷却効率が向上した。なお、フィン５の形状は必ずしも全長がファン１からの送風方向と同一方向である必要はなく、図３に示すように入口部のみ向きが同一であればフィン８の下流側は垂直でも別の形状でもよい。
【００１４】
また、従来型のヒートシンク１２では、ファン１から送風された風は図６に示すように風の流れに指向性が高く、基板１４のヒートシンク１２周辺部に配置された発熱体１５を冷やすためには別途ファンが必要な場合がある。しかし、発熱体それぞれに複数のファンを設置することは現実的ではない。
【００１５】
一方、本発明のヒートシンク４で整流された風は放射状にヒートシンク４の周辺に流れる。そのため、図４に示すように基板１０のCPUなどにヒートシンク４を取り付けることで、ヒートシンク４から放射状に風が拡散するため、基板全体に風が流れヒートシンク４の周辺部に配置された他の発熱体１１も冷却される。
【符号の説明】
【００１６】
１          ファン
２          軸
３          羽根
４          ヒートシンク
５          フィン
６          熱源
【図１】
2018060955.tif 000003
【図２】
2018060955.tif 000004
【図３】
2018060955.tif 000005
【図４】
2018060955.tif 000006
【図５】
2018060955.tif 000007
【図６】
2018060955.tif 000008
(57)【要約】      （修正有）【課題】簡単な機器や汎用性のあるソフトウエアで、シミ、毛穴等多くの要素を含む皮膚の色ムラの評価を迅速かつ正確に行うことができる皮膚評価方法を提供する。【解決手段】皮膚の画像ファイルのある画素とそれに隣接する８つの画素に対する３次元空間の直交座標系で表される色空間での移動ベクトルの平均値（平均移動ベクトル）を、いくつかの画素から算出し、その平均値（平均移動ベクトルの平均値）を指標として評価する。【選択図】図３
2018060532.tif 000002
【特許請求の範囲】
【請求項１】
皮膚の画像ファイルのある画素とそれに隣接する８つの画素に対する３次元空間の直交座標系で表される色空間での移動ベクトルの平均値（平均移動ベクトル）を、いくつかの画素から算出し、その平均値（平均移動ベクトルの平均値）を指標とする皮膚の色ムラの評価方法。
【請求項２】
３次元空間の直交座標系で表される色空間の座標がＬａｂであることを特徴とする請求項１の皮膚の色ムラの評価方法。
【発明の詳細な説明】
【技術分野】
【０００１】
本発明は、正確にまた容易に皮膚の色ムラの評価方法に関する。
【背景技術】
【０００２】
皮膚の色ムラの評価方法はすでにいくつかの方法が知られている。例えば、肌の見た目年齢を評価するために、皮膚表面の２５×２０mmを１００グリッドに分割し、それぞれのグリットの中心点のＲＧＢ値の標準偏差より求められる値（色ムラ度）を指標とする皮膚の色ムラの評価方法が知られている。（非特許文献１）
しかしながら、シミ、毛穴等の情報は得られない。
また、肌画像より周波数解析より得られた色ムラ指数より肌のくすみ評価を行うことが行われている。（特許文献１）
いずれもデータの標準偏差や変動係数を用いて色ムラとしているが、正確に色ムラを表現できていない。
【先行技術文献】
【特許文献】
【０００３】
【特許文献１】特開2014-213065
【非特許文献】
【０００４】
【非特許文献１】田中清隆，若松香苗：肌の色ムラ評価方法の開発．フレグランスジャーナル．2010年6月,第38巻,第6号  P88-89，1989
【発明の概要】
【発明が解決しようとする課題】
【０００５】
簡単な機器や汎用性のあるソフトウエアで、シミ、毛穴等多くの要素を含む皮膚の色ムラの評価を迅速かつ正確に行うことができる評価方法を得ることにある。
【課題を解決するための手段】
【０００６】
本発明者らは鋭意検討した結果、デジタルカメラ等で皮膚の画像を3次元空間の直交座標系で表されるデジタルデータで得るか、得た画像を次元空間の直交座標系で表されるデジタルデータ変換して情報を得、画素とそれに隣接する８つの画素に対す移動ベクトルを計算し、平均値（平均移動ベクトル）を算出する。
なお、移動ベクトルは以下の式より算出する。
移動ベクトル＝２色間の距離（β）×２色間の平均角度（Θ)
２色間の距離（β）は以下の数式１により計算される。
【数１】
2018060532.tif 000003
２色間の平均角度（θ)は以下の数式２により計算される。
【数２】
2018060532.tif 000004
なお、ここでのＸ、Ｙ、ＺはＸ軸、Ｙ軸、Ｚ軸という意味であり、ＸＹＺ表色系を指しているわけではない。
３次元空間の直交座標系で表される色空間の座標は様々なものがあるが、本発明に用いる３次元空間の直交座標系で表される色空間の座標にはＲＧＢやＬａｂ等が適当である。
幾つかの画素に対して平均移動ベクトルを出し、その平均値を色ムラの指標とした。
なお、皮膚の表面画像は、皮膚１cm当り１０〜３００ピクセルになるように画像を得るか、皮膚１cm当り３００ピクセル以上の画像を得たのち、解像度を下げて必要な解像度を得る。
【０００７】
この画像を基に各画素に対する平均移動ベクトルを算出し、平均移動ベクトルの分布をみることによって、皮膚の色ムラが明確化される。
【０００８】
算出に必要な画素数は皮膚１cm当たり５００を越える画素で算出しても精度がさらに向上するわけではないのであまり意味がない。
以上の処理は、公に利用可能なソフトウェア「ＩｍａｇｅＪ」（http://rsb.info.nih.gov/ij/)やフリーソフトである「Ｒ」（http://cran.r-project.org/)を使用して実施することができ、解析マクロ等を組むことによって、自動的に実施することができる。
なお、画像をファイルにする場合は非圧縮の保存形式が好ましく例えばビットマップやＴＩＦＦ形式で扱う方がよい。
また、皮膚の撮影方法は、通常の方法でよいがより精度を高めるために光の強度や撮影距離等を一定にする。
【実施例】
【０００９】
以下に実施例を挙げて説明する
【実施例１】
【００１０】
顔面のシミの目立つ人、毛穴の目立つ人、シミと毛穴の目立つ人、シミや毛穴が目立たない人の目尻２cm下の２cm×２cm四方に印を付けた後、VISIA（Canfield Scientific, Inc.）で撮影後、bmp形式で出力し、目尻より２cm下の２cm×２cm四方部分を切出し、Tiff形式で保存した。
その後、Adobe Photoshop7.0でsRGB形式に再保存したものを解析に供した。
ソフト「Ｒ」を用い、皮膚１cm当たりのピクセル数を２６２で、平均移動ベクトルを求めた。その後、平均移動ベクトルを８ｂｉｔグレースケール画像に再変換し、状態を確認した。
また、平均移動ベクトルの平均値も求めた。
その結果を図１〜４に示す。
【００１１】
平均移動ベクトルを求めることによって、シミの目立つ肌、毛穴の目立つ肌、シミも毛穴も目立つ肌、、シミも毛穴も目立たない肌、それぞれ特徴的な画像が認められ平均移動ベクトルの平均値も画像の状態に応じて変化することが認められた。
【図面の簡単な説明】
【００１２】
【図１】実施例１の結果を示す。シミが目立つ皮膚の人の結果で、上から表面画像、平均移動ベクトルの値を画像化したもの、平均移動ベクトルの平均値を３例示した。
【図２】実施例１の結果を示す。毛穴が目立つ皮膚の人の結果で、上から表面画像、平均移動ベクトルの値を画像化したもの、平均移動ベクトルの平均値を３例示した。
【図３】実施例１の結果を示す。シミと毛穴が目立つ皮膚の人の結果で、上から表面画像、平均移動ベクトルの値を画像化したもの、平均移動ベクトルの平均値を３例示した。
【図４】実施例１の結果を示す。シミと毛穴が目立たない皮膚の人の結果で、上から表面画像、平均移動ベクトルの値を画像化したもの、平均移動ベクトルの平均値を３例示した。
【図１】
2018060532.tif 000005
【図２】
2018060532.tif 000006
【図３】
2018060532.tif 000007
【図４】
2018060532.tif 000008
(57)【要約】      （修正有）【課題】就寝者が見える位置に容易に取り付けられ、且つ文字表示電源を確保する時計を提供する。【解決手段】時計２の一部に、ナツメ球用ソケットに嵌合する口金１を設け時計２を照明器具に装着させたことにより、就寝時見え易い時計の設置及び管理が容易に出来る。【選択図】図１
2018146556.tif 000002
【特許請求の範囲】
【請求項１】
常夜灯用ナツメ球ソケットに嵌合する口金部を設けた時計。
【発明の詳細な説明】
【技術分野】
【０００１】  本発明は、照明器具のナツメ球ソケットに装着する時計に関する。
【背景技術】
【０００２】  従来、就寝時に時刻を見え易くする為に、天井等に時計を取り付けたり、時計表示板を天井に照射する方法がとられていた。
【発明の概要】
【発明が解決しようとする課題】
【０００３】  解決しようとする問題点は、従来の方法に於いては、高い場所への時計の取り付、或いは時刻表示の電源確保に煩しさがあった。本発明は、このような従来の方法が有していた問題を解決しようとするものであり、就寝者が見える位置に、容易に取り付けられ、且つ文字表示電源を確保する時計を実現することを目的とする。
【課題を解決するための手段】
【０００４】  本発明は上記目的を達成するため、時計の一部にナツメ球ソケットと同径のねじ込みタイプの口金を設けたものであり、これをナツメ球ソケットに差し入れることにより、時計を固定させることが出来ると同時に、時計の文字盤を輝かせる電源を得ることが出来るようにしたものである。
以上のような構成により、従来の照明灯に於いて、常夜灯としてのナツメ球を点灯する操作で時計の文字盤を輝かせることが出来る。
【発明の効果】
【０００５】  本発明により、就寝時目視出来る時計が容易に装着出来る効果を得られる。
【図面の簡単な説明】
【０００６】
【図１】本発明の正面図である。
【図２】本発明の底面図である。
【図３】本発明の他の実施例図である。
【発明を実施するための形態】
【０００７】  以下、本発明の実施の形態を図１、図２に基づいて説明する。
１は照明器具のナツメ球用ソケットにねじ込む口金、２は時計である。
口金より出るリード線は時計２の文字発光用端子に接続する。
上記構成により、時計２は固定し、常夜灯ナツメ球に電源を入れる操作で、時計の文字部が発光状態となる。
【０００８】  図３は、他の応用例図であり、照明器具が半透明板にてカバーされている場合、口金より出るリード線を延長し、時計をカバー上に置き固定した状態を示す。この場合、カバーを透過する水準に文字部の発光輝度を上げるものとする。
【符号の説明】
【０００９】１  口金
２  時計
３  リード線
４  カバー
５  電球
【図１】
2018146556.tif 000003
【図２】
2018146556.tif 000004
【図３】
2018146556.tif 000005
(57)【要約】      （修正有）【課題】キッチンメータを使用して、調理進行中に各食品毎の栄養成分計算を可能とする。【解決手段】入／切スイッチを入とし（前日のデータは保存されリセット状態になる）、食品をメータに乗せ重量測定とキー操作により登録食品の番号入力又は音声入力を行い、この作業を繰返して全食品の測定をすることにより、熱量、蛋白質、カリウムの合計表示を行う。【選択図】図１
2018146558.tif 000002
【特許請求の範囲】
【請求項１】
生活習慣病、慢性腎臓病（以後は、ＣＫＤと書く）、糖尿病等の予防及び治療の為の大切なアイテムの一つとして、今回発明の小型デジタル秤が活躍出来ます。
市販の小型デジタルメータをベースに、１台のキッチンメータで各食品の重量測定、調理方法等、病人用食事調理用として必要な条件を入力して、１日の栄養成分量の合計を算出することを可能にした秤です。
故に、この秤は調理をしながら各食品の栄養成分量を計算し、小計及び合計を簡単に算出することを可能にした秤です。
【発明の詳細な説明】
【技術分野】
【０００１】  本発明は、小型デジタル秤１台でいろいろな食品を、どの様な方法で調理し、どれくらい食したか正確に測定し、一日に摂取した栄養成分量を正確かつ簡単に測定、記録を可能にする事が出来る秤です。
生活習慣病、ＣＫＤ、糖尿病等の治療及び対策として、この小型デジタル秤が活躍出来ます。
ある人が、医師より初期のＣＫＤと診断され〔腎臓の機能が低下した場合現在医学では、治療方法はありません、唯一の方法は現在残っている腎臓機能を出来る限り長く維持する事です。通常の治療方法としては：血圧の管理と食事療法です。ある人の食事例として熱量１８００Ｋｃａｌ、蛋白質５０ｇ、カリウム２０００ｍｇ〕この食事内容は、複雑で難しく手間かかり、個人で実行するのは大変困難です。
ここで今回発明の小型デジタル秤を使用する事により解決する事が出来る。
【背景技術】
【０００２】  従来の技術としては、病院等では、専属の栄養士さんが膨大な時間をかけて病気種類に合わせて、平均的な栄養成分で調理しているのが一般的である。
従って、病院に入院して食事を取っても、それぞれの病状に合わせて（質、量、調理方法等）調理提供する事は困難である、又宅配の病人食も同様と考えられる。
故に、患者個人がこの複雑な栄養成分を計算して食事を取ることは大変困難な作業となり、食した栄養成分量の精度が悪くなり、腎臓機能低下が進み人工透析を受ける事になる事が多い、医療費も膨大となる。
【発明の概要】
【発明が解決しようとする課題】
【０００３】  従来の小型デジタル秤を使用し、食品毎の栄養成分を計算するには、先ず各食品の重量を測定し、熱量及び蛋白質：食品栄養成分の資料より単位重量当りの栄養成分量に重量を乗じて算出し、それぞれ合計したものがその食事の熱量及び蛋白質の合計となる、又カリウムに対しては：単位重量当りの栄養成分量に重量を乗じて算出すると、数値が大きくなりすぎ腎臓病の人は、カリウム過多となり体調に異常を起こす事になる、その為、食品に湯でこぼし作業が必要（方法：野菜など沸騰したお湯の中で、湯がき、水洗いを行いカリウム分を流出する）
故に、専門の資料、膨大な時間が必要となります、個人で腎臓食を作るには大変困難です、この繊細で複雑な作業は栄養士さんの仕事範囲でしょう。
・ある人が腎臓食調理して食している場合、精度が悪くなり栄養の取りすぎとなり病状が悪くなる可能性があります、又余裕をみて少なめで食していると栄養不足によって体重減となり重大な病気の原因となる。【０００４】  病院用の食事は年齢、体力、病気種類、病気の程度によって（質、量、調理方法等）本人に最適な食事を提供しなければならない、病院用食事は個人の病状によって異なる為、膨大な時間と労力が必要となる。
・病院に入院して食事を取っても、それぞれの病状に合わせて（質、量、調理方法等）調理提供する事は困難である、宅配の病院食も同様である。
・結果病状に合わせて自分自身が、主治医と打合せし、熱量、蛋白質量、カリウム量を適切に考慮して調理した食事を摂取する事が必要である。
・又、食事内容の精度が低いと、栄養の摂取量が低下して、体に大きく悪影響を与える為注意が必要である、病人食は許容範囲内で質、量等より多く摂取する事が必要、でなければ栄養不足になり内臓等重要臓器に悪影響を与え、合併症の発生が予想される。
【課題を解決する為の手段】
【０００５】  このキッチンメータを使用して、調理進行中に各食品毎の栄養成分量を、計算可能にした秤です。
腎臓病、患者さんの食事についての事例です（熱量、蛋白質、カリウムの制限食事）
＊患者さんの病状に合わせてメータに設定し栄養成分を計算する。
１．メータの使用方法
入／切スイッチ入→健康、腎臓、肝臓の食事内容のセレクト→直接キー操作、音声・入      力方法のセレクト
２作業手順
・入／切スイッチ入（前日のデータは保存されリセット状態になる）→食品をメータ      に乗せ重量測定（キー操作により登録食品の番号入力又は音声入力）→作業を繰返      し全食品の測定をする→熱量、蛋白質、カリウムの合計表示
このキッチンメータを使用して、食品の栄養成分を精度の高い計算をする事によって、残っている腎臓機能を保護し、より長く生活出来る様に努力する事大切である。
【発明の効果】
【０００６】  初期ＣＫＤの人の場合、現在の医学では治療方法はありません、病気が悪化すれば人工透析又は腎臓移植と大変な事になります。この状態に至らない様に、血圧管理及び食事管理（熱量、蛋白質、カリウム）によって病状の進行を遅らすことが可能になります、自分自身の腎臓で老廃物を処理し、楽しく過ごせる様に、自分に合った精度の高い食事を取ることが大切である、その為にはこのキッチンメータが必要不可欠である。従って、この方法が初期のＣＫＤ患者の唯一治療法である。
【図面の簡単な説明】
【０００７】
【図１】本発明に係る小型デジタル秤の平面図である。
【発明を実施するための形態】
【０００８】・使用方法
入／切スィツチ入→健康、腎臓、肝臓の食事内容のセレクト→直接キー操作、音声・入  力方法のセレクト
・実作業
入／切スィツチ入（前日のデータが保存されリセット状態になる）→食品をメータに乗  せ重量測定                                                    ↓
↓
・キー操作により登録食品の番号入力
又は、音声入力（画面には現在までの小計が出る
↓
→作業を繰り返し全食品の測定をする→→熱量、蛋白質、カリウムの合計表示
【符号の説明】
【０００９】１  電源スイッチ
２  日時セットスイッチ
３  健康、腎臓、肝臓の選択スイッチ
４  本体入力、音声入力の選択スイッチ
５  調理スタートスイッチ
６  テンキー
７  画面スクロールキー
８  ＵＳＢポート
９  音声入力ポート
１０  電源ポート
１１  デジタル秤本体
１２  秤の計測部
【図１】
2018146558.tif 000003
(57)【要約】【課題】従来の家系図は、直系傍と傍系を一括で表示した場合、線が輻輳し、複雑になり相互関係が理解しにくくなる。【解決手段】人パーツを立体的に配置することにより、関係を示す線が交差せず、家系が視覚的に明快になる。【選択図】図３
2018146748.tif 000002
【特許請求の範囲】
【請求項１】
樹脂・木・金属等で作られた人を表す多面体形状のパーツと、Ｔ型、Ｉ型、Ｌ型の棒状のパーツによって複数の多面体形状のパーツ同士を接続し、親子関係、兄弟関係などの縁戚関係などを立体的に表現する方法
【請求項２】
請求項１において人を表す多面体形状のパーツの各面に、氏名、生年月日、没年月日、家紋などの情報を表示することができることを特徴とする方法
【発明の詳細な説明】
【技術分野】
【０００１】
本発明は、容易に組立が可能な立体的な家系図に関するものである。
【背景技術】
【０００２】
従来より家族関係を家系図として残し家族の在り方を確認している。従来の家系図では、直系家系とともに傍系家系も同時に記述すると平面上における表現が複雑となる。そのため、視覚的に判り易くするために立体的に家系図を表現するものもある。
【先行技術文献】
【特許文献】
【０００３】
【特許文献１】特開２０１５−２２５２９３号公報
【発明の概要】
【発明が解決しようとする課題】
【０００４】
解決しようとする問題点は、従来の立体的家系図は両親と子供の配置などが一般的な平面上の家系図と異なっており、違和感があり直感的に家族構成を理解しにくいものとなっている。
【０００５】
本発明は、人を表す多面体形状のパーツと、Ｔ型、Ｉ型、Ｌ型の棒状のパーツによって構成され、複数の人のパーツ同士を棒状のパーツによって接続し、親子関係、兄弟関係などの縁戚関係などを、従来の平面上の家系図と同等の表現で立体的に構築することにより、視覚的に家系全体を把握し易くすることを特徴とする。
各パーツの素材は要求に合わせて、木材や樹脂、金属など多様な素材を用いることができる。
【図面の簡単な説明】
【０００６】
【図１】立体的家系図を構成するパーツの形状の説明図である。
【図２】パーツを組合せた１家族（両親と３兄弟）の構成例である。（実施例１）
【図３】兄弟の一人が結婚し、祖父、祖母まで含めた構成例である。（実施例２）
【図４】人パーツの詳細な説明図である。
【図５】人パーツの表示面の表示例である。（実施例３）
【発明を実施するための形態】
【０００７】
人パーツの各々が相互に干渉するおそれがある場合には、接続する棒状のパーツの向きを変えて、人パーツ同士の干渉を回避することができる。
【実施例１】
【０００８】
図２は、各パーツを用いた１家族（両親と３兄弟）の構成例である。１は両親の並びと兄弟の並びを直角に配置したもので、２は両親の並びと兄弟の並びを平行に配置したものである。人パーツの各々が相互に干渉するおそれがある場合には、これらの2つの方法を使い分けることで回避することができる
【実施例２】
【０００９】
図３は、両親の親および両親の兄弟まで含めた構成例である。
【００１０】
図４は人パーツで、パーツ自体の色を変えることにより、直系傍系の区別や、男女の区別、世代の区別等を表現できる。
【００１１】
人パーツは夫と妻を結ぶ棒状パーツ３を差込んで固定するための正８角形の穴が計４個配置されていて、死別、再婚などで配偶者が増えても4人まで対応可能である。
【００１２】
人パーツには人の情報を表示する円形の表示面が計４面配置されている。４面あることにより、立体的家系図を異なる方向から見ても、必ず2面以上の面を見ることができる。氏名、性別、生年月日、没年月日、顔写真、家紋等の情報を表示できる。
【実施例３】
【００１３】
図５は人パーツの円形の表示面１２の表示例である。
【産業上の利用可能性】
【００１４】
人パーツの下に適当なサポート材を置いたり、家計図全体の上部からひも状のもので吊り下げたりすることにより、大規模な家系図を構築することができる。
【符号の説明】
【００１５】
１    人を表すパーツ
２    棒状のパーツ
３    棒状のパーツ
４    棒状のパーツ
５    棒状のパーツ
６    棒状のパーツ
７    棒状のパーツ
８    両親の並びと兄弟の並びを直角に配置した１家族の構成例。
９    両親の並びと兄弟の並びを平行に配置した１家族の構成例。
１０    親子や兄弟を接続する棒状パーツ４、６、７を差込むための正８角形の穴
１１    夫と妻を結ぶ棒状パーツ３を差込むための正８角形の穴
１２    人の情報を表示する円形の表示面
【図１】
2018146748.tif 000003
【図２】
2018146748.tif 000004
【図３】
2018146748.tif 000005
【図４】
2018146748.tif 000006
【図５】
2018146748.tif 000007
(57)【要約】【課題】無人航空機の物理的な飛行性能を妨げることなく視認性があるスクリーンを装着できないこと及びそれらを無人航空機の操作に必要な電波周波数と干渉せずに地上からコントロールすることができない点である。【解決手段】無人航空機のプロペラから発生する気流を妨げない形態のフレームを装着しＬＥＤチップを配置する。プログラム制御にて映像として表示する内容、タイミングを地上からワイヤレスにてプログラム制御する。【特許請求の範囲】
【請求項１】
無人航空機のプロペラから発生する飛行時の気流に影響されることなく固定されたＬＥＤチップ。
【請求項２】
地上から離れた無人航空機に積載されたＬＥＤスクリーンの映像制御技術。
【発明の詳細な説明】
【技術分野】
【０００１】本発明は、無人航空機に多数のＬＥＤモジュールを装着し、それらをコントロールすることで映像として視認できるものである。また飛行する無人航空機上へ地上から通信することにより予め積載された映像出力機器から視認性の映像を配信できるシステムである。
【背景技術】
【０００２】映像出力が可能なスクリーンを空中で飛行する無人航空機に搭載することで、無人航空機を情報配信機器として使用が可能となる。制御を地上から行うことができれば、飛行中に放映開始することや情報を変更することができる。【０００３】しかし、重量のあるスクリーンを無人航空機に搭載するには小型のスクリーンにするなど視認性を低下させる欠点があった。
仮に軽量である視認性のＬＥＤスクリーンを搭載しようとしても、プロペラを回転させて飛行する無人航空機の特性上、基盤に固定されたスクリーンではプロペラから出される空気の逃げ場がなくなり安定して飛行できないまたは墜落するなどの問題があった。また、他の映像や音声と連携をとることができなかった。【０００４】この改善策として、無人航空機の中でＬＥＤチップなどを搭載し、単に光るものはあるが、本技術はそれらのＬＥＤチップを別々に組み合わせ一つのスクリーンとして制御するため空気の流れをさえぎることなく飛行する無人航空機に対してワイヤレスで映像コントロールすることができる。また、コントロールの権限を地上で遠隔制御できるため他の地上で放映される映像や放送される音楽等と連携を計ることが可能である。
【発明の概要】
【発明が解決しようとする課題】
【０００５】解決しようとする問題点は、無人航空機の物理的な飛行性能を妨げることなく視認性があるスクリーンを装着できないこと及びそれらを無人航空機の操作に必要な電波周波数と干渉せずに地上からコントロールすることができない点である。
【課題を解決するための手段】
【０００６】本発明は、無人航空機に特殊な専用フレームを装着し、ＬＥＤチップを個別に配置した上でプログラム制御を地上から遠隔で行うことを最も主要な特徴とする。
【発明の効果】
【０００７】本発明の映像機器搭載型無人航空機は、地上からコントロールされた空中に飛行する航空機から視認性の映像情報配信が行えるという利点がある。
【発明を実施するための形態】
【０００８】無人航空機のプロペラから発生する気流を妨げない形態のフレームを装着しＬＥＤチップを配置する。プログラム制御にて映像として表示する内容、タイミングを地上から制御する。
(57)【要約】【課題】青果物の保存、および、それに伴う鮮度保持を図る。なお、青果物と花の，幹、枝、茎、および、青果物と花の，幹、枝、茎の切り口の保持補強を図る。【解決手段】青果物、および、の青果物と花の，幹、枝、茎、ならびに、青果物と花の，幹、枝、茎の切り口、枝の接ぎ木部に、ゼラチン、コラーゲンの被膜を直接密着形成させる。【選択図】図１
2018068270.tif 000002
【特許請求の範囲】
【請求項１】
本発明は、青果物に、ゼラチン、および、コラーゲンの被膜を直接密着形成加工を行ない、青果物を被覆するにあたり、各青果物に適する、各、ゼラチン、および、コラーゲンを造る件、ならびに、青果物を、ゼラチン、および、コラーゲンの被膜で被覆する、各目的に適したゼラチン、および、コラーゲンに関する
【請求項２】
［請求項１］によるゼラチン、および、コラーゲンの被膜を直接密着形成加工を、青果物の、幹、枝、および、茎、それに、幹、枝、茎の切り口、ならびに、接ぎ木部に行う件。ならびに、花の幹、枝、および、茎に行う件に関する。
【請求項３】
［請求項１］、および、［請求項２］のごとく、ゼラチン、および、コラーゲンの被膜直接密着形成加工を、二酸化炭素ガスの雰囲気内で行う件に関する。
【発明の詳細な説明】
【技術分野】
【０００１】  本発明の技術分野は、青果物の保存、したがって、それに伴う、青果物の鮮度長引かせ。くわえて、青果物、および、花の、幹、枝、および、茎、ならびに、幹、枝、茎、の切り口、ならびに、接ぎ木部に関する。
【背景技術】
【０００２】  従来、フィルム・膜を用いて青果物を保存する場合、フィルムを袋状にして青果物を入れて封じるか、または、フィルムで青果物を包む方法が主である。また、青果物、および、花の幹、枝、および、茎、ならびに、幹、枝、および、茎の切り口、ならびに、接ぎ木部にフィルムを用いることは少ない。
【発明の概要】
【発明が解決しようとする課題】
【０００３】  青果物表面に、食しても安全な材料、すなわち、ゼラチン、コラーゲンの被膜を直接密着形成加工、（以後、ゼラチン、コラーゲンの被膜を直接密着形成加工、との表現、記述を略して、ゼラチン加工と表現、記述する）を行い、青果物を被覆する。それにより、青果物の保存を図り、ひいては、青果物の鮮度長引かせを図る。さらに、成果物の幹、茎、枝、幹、および、花の幹、枝、茎、ならびに、幹、枝、茎の切り口、ならびに、接ぎ木部にゼラチン加工を行う。この二者の加のさい、二酸化炭素ガスの雰囲気内で行うことが可能である。このさい、表皮を有する柿、ミカン、バナナ、トマト、胡瓜、茄、および、これに類する青果物にゼラチン加工を行うと有効である。
【課題を解決するための手段】
【０００４】  本件は、青果物の表面にゼラチン加工を行ない、青果物を覆うことにより青果物の、保存を図り、それに伴う鮮度長引かせを図り、ひいて、包装を図り、損傷防止を図ることに繋がる。そのさい、被膜材とて、食しても安全な材料、その例として医薬品のカプセル、菓子類のゼリーに用いている材料、ゼラチン、コラーゲンを用いる。そのさい、各青果物に適したゼラチン、コラーゲンを製作する。その例として、青果物の、保存、鮮度長引かせを図るとき、植物ホルモン質材をゼラチン、コラーゲンに加える。その場合、青果物の果汁、表皮汁、木汁を加えることが可能である。また、青果物とゼラチン、コラーゲン被膜の密着を図る材料の例として澱粉質類材、海苔類材をゼラチン、コラーゲンに加える。また、青果物の汚損損傷防止を図る場合、防腐剤、防黴材、抗菌材をゼラチン、コラーゲンに加える。そのほか、塩分、糖分、ばっ水材をゼラチン、コラーゲンに加える。なお、ゼラチン加工を、青果物の一部分に行うことができる。これらの、ゼラチン加工を二酸化炭素ガス雰囲気内において行なうことが可能である。この、青果物、ゼラチン加工において、表皮を有する、柿、ミカン、バナナ、トマト、胡瓜、茄、および、これに類する青果物を主としてゼラチン加工を行うと有効である。なお、ゼラチン加工を、青果物、および、花の幹、枝、および、茎、ならびに、幹、枝、および、茎、の切り口、ならびに、接ぎ木部に行うことが可能である。しこうして、このような細く長い物質にゼラチン加工を行う件を拡大して、コラーゲンケーシンクにより鰻を被覆することを図ることができる。
【発明の効果】
【０００５】  本発明による効果は青果物の保存を図り、それに伴う鮮度長引かせを図り、ひいて、包装等を図る。
なお、青果物、および、花の幹、枝、および、茎、ならびに、幹、枝、および、茎、枝の切り口、ならびに、接ぎ木部にゼラチン加工を行う。このさい、青果物、および、花の幹、枝、および、茎を、補強し、損傷を防ぐ。また、青果物、および、花の幹、枝、および、茎の、切り口を被覆し、接ぎ木部を保護する。そのさい、窒素質材、燐質材、カリウム質材をゼラチン、コラーゲンに加えることが可能である。なお、細く長い物質にゼラチン、コラーゲン被覆を行う件を拡大して、鰻、または、魚類にコラーゲンケーシングを用いることを図ることができる。
【図面の簡単な説明】
【０００６】
【図１】青果物の表面にゼラチン加工を行った場合の断面図である。
【図２】青果物、および、花の幹、枝、および、茎、および、切り口にゼラチン加工を行った場合の断面図である。
【図３】接ぎ木部にラチン加工を行った場合の図である。
【発明実施するための最良の形態】
【０００７】  以下、本件の実施の形態を図１、図２に示して説明する。図１において、１の青果物の表皮２と３の、ほぞ，枝の外面に、４のゼラチン、コラーゲンの被膜を直接密着形成させる。５は、二酸化炭素ガスを現す。図２において、６の青果物、および、花の幹、枝、および、茎と７の切り口に８のゼラチン、コラーゲンの被膜を直接密着形成させる。
【産業上の利用可能性】
【０００８】  青果物作者を始め、青果物取扱い販売業者、および、一般家庭。なお、魚類関係、各所、各企業。
【符号の説明】
【０００９】１  青果物
２  表皮
３  ほぞ、枝
４  ゼラチン、コラーゲン被膜
５  二酸化炭素ガス
６  青果物、および、花の幹、枝、および、茎
７  青果物、および、花の幹、枝、および、茎の切り口
８  ゼラチン、コラーゲン被膜
９  樹木の、幹、枝、または  茎
１０  接ぎ木部
１１  ゼラチン、コラーゲン被膜
【図１】
2018068270.tif 000003
【図２】
2018068270.tif 000004
【図３】
2018068270.tif 000005
(57)【要約】【課題】  見栄えよく形が形成されたコンニャク糊の食物繊維を摂取できる無味無臭でノンカロリーのコンニャク糊を主としたジュレ状食品の提供。【解決手段】  コンニャク粉とカンテン粉、あるいはコンニャク粉とゼラチン粉、またはコンニャク粉とカンテン粉およびゼラチン粉を合わせて水で溶き、それぞれを撹拌しながら加熱させたのち冷却し製造する無味無臭でノンカロリーの、カンテン粉を主としたジュレ状食品の提供。【特許請求の範囲】
【請求項１】
コンニャク粉とカンテン粉、あるいはコンニャク粉とゼラチン粉、またはコンニャク粉とカンテン粉およびゼラチン粉を合わせて水で溶き、それぞれを撹拌しながら加熱し沸騰させたのち冷却し製造する無味無臭でノンカロリーの、カンテン粉を主としたジュレ状食品。
【発明の詳細な説明】
【技術分野】
【０００１】  この発明は、コンニャク粉を材料とすることがベースで、コンニャク糊として使うことが、その食物繊維の自由な粘性を殺すことなく維持することが出来る。その結果、コンニャク糊の食物繊維が体内における飲食物にまんべんなく絡み合い、便の保水性や乳酸菌の生活環境を確保でき、一方カンテン粉やゼラチン粉を合わせることでジュレ状食品として完成したときに、形がだれることなく弾力ある状態で直方体などの立体を形成でき、見た目の形態のよさを獲得でき、また食感が糊状のべったりした感覚よりもプリッとした食感の無味無臭でノンカロリーのジュレ状食品が生まれる。
【背景技術】
【０００２】  従来、コンニャクがあり、またカンテンやゼラチンによるジュレがあった。
【発明の開示】
【発明が開示しようとする課題】
【０００３】  これには次のような欠点があった。
コンニャクは、水酸化カルシュームなど添加物を加えて固めるため、特有の嫌な匂いがあり、また、食物繊維は強く化学合成され固定化されたので、それが便に広く混ざりこみ、便を広く包み込むことはない。
カンテンは、優秀な食物繊維であり形を作る性質もあり、水の吸収力もかなりあるが、その差はコンニャク対カンテンで約５対１で、コンニャクが勝っている。
ゼラチンによるジュレは、形を形成することは容易であり、透明に仕上げることができることは利点ではあるが、それだけでは腸内の便に食物繊維を行き渡らせることはできない。それ自体が消化吸収されてしまうからである。
本発明は、これらの欠点を除くためになされたものである。
【課題を解決するための手段】
【０００４】  コンニャク粉とカンテン粉、あるいはコンニャク粉とゼラチン粉、またはコンニャク粉とカンテン粉およびゼラチン粉を合わせて水で溶き、それぞれを撹拌しながら加熱させたのち冷却し製造する無味無臭でノンカロリーの、カンテン粉を主としたジュレ状食品の提供。
【発明の効果】
【０００５】  本発明は、コンニャク糊と、カンテン液またはゼラチン、またはカンテンとゼラチンを合わせたものとが混ざった状態のものを形成する。なので、水酸化カルシウムなど添加物を加えたときに発する異臭がなく食べやすいばかりでなく、コンニャク糊だけでは形を維持できずだれてしまうところを、カンテンまたはゼラチン、あるいはカンテンとゼラチンの合わせたものを混ぜることで弾力のある食材のかたち、例えばトーフのような形を維持でき見栄えもよくなり、これは無味無臭なので食べやすい。また、コンニャク糊とカンテンはともに食物繊維で、人間の腸で乳酸菌の住みかとなったり餌となることで、腸内細菌のバランスを良くして健康に資するとともに、便通もよくする。
【発明を実施するための最良の形態】
【０００６】  以下、本発明の実施形態について説明する。
コンニャク粉とカンテン粉、あるいはコンニャク粉とゼラチン粉、またはコンニャク粉とカンテン粉およびゼラチン粉を合わせて水で溶き、それぞれを撹拌しながら加熱させたのち冷却し製造する無味無臭でノンカロリーの、カンテン粉を主としたジュレ状食品の提供。
(57)【要約】【課題】効率よく掃除を行う為に、場所や用途に応じて種類の異なるほうきやブラシが必要であった。溝や隙間の掃除にはヘッドの幅の短いほうきが必要で、付着した汚れの清掃にはデッキブラシが必要となり、掃除用具をそれぞれ準備し、またそれらの保管スペースも確保しなければならなかった。【解決手段】掃除用具のヘッドを折り畳めるように構成した。ヘッドを広げた時は、通常のほうきとして使用でき、ヘッドを折り畳んだ時は、溝などの狭い場所の掃除ができる。また、柄とヘッドの角度を変えることで、デッキブラシとしての使用もできる。このように１本で通常のほうきとしてはもちろん、ヘッドの短いほうきから、デッキブラシまでの複数の掃除機能を有すると共にヘッドを折り畳んだ状態で収納できるので、保管スペースも小さくできる。【選択図】図１
2018068998.tif 000002
【特許請求の範囲】
【請求項１】
分割したヘッドを蝶番で連結し、そのヘッドを折り畳むことを特徴とする掃除用具。
【請求項２】
ヘッドは３つに分割されており、折り畳み時に各ヘッドを固定するための凹凸状の連結フックを設けた請求項１の折り畳み式掃除用具。
【請求項３】
ヘッドに対して、柄が０から１８０度まで曲げることのできる角度調整ネジ７を備え、柄の根元でヘッドを回転できるジョイントを備えた請求項１の折り畳み式掃除用具。
【発明の詳細な説明】
【技術分野】
【０００１】  本発明は、場所や用途に応じて、効率よく掃除ができる折り畳み式掃除用具に関する。
【背景技術】
【０００２】  掃き掃除を行う場合、場所や用途に応じて種類の異なるほうきやブラシを複数本準備する必要があった。通常の掃除ではヘッドの幅が長いほうきを使用するが、溝や隙間などの狭い場所の掃除にはヘッドの幅が短いほうきを、また床に付着した汚れの掃除はデッキブラシを使用した方が効率的に清掃できる。しかし、場所や用途に応じた掃除用具をそれぞれ用意し保管しなければならなかった。
【先行技術文献】
【特許文献】
【０００３】
【特許文献１】実開平７−２５１号公報
【発明の概要】
【発明が解決しようとする課題】
【０００４】  以上に述べた従来の方法では、効率よく掃除を行うために用途別のほうきやブラシを複数本準備する必要があり、またそれらを保管するスペースも必要であった。【０００５】  本発明は、このような従来の問題を解決しようとするものであり、ブラシを備えたヘッド部の幅の長さを調整することで、１本で複数の機能を持つ掃除用具を実現することを目的とするものである。
【課題を解決するための手段】
【０００６】  本発明は上記目的を達成するために、分割されたヘッドを蝶番等でつなぎ合わせることで折り畳み可能なヘッドを設け、伸長時および折り畳み時にヘッド同士が外れないように固定するための凹凸部を備えた結合フックを設ける。本発明は以上の構成よりなるヘッド折り畳み式掃除用具である。
【発明の効果】
【０００７】  掃除用具のヘッドの幅の長さを変えることで様々な場所や用途の掃除が可能となる。通常の掃き掃除の場合はヘッドを長くした状態で使用し、狭い溝や隙間などの掃除の場合はヘッドを折り畳んで使用する。またヘッドを折り畳んだ状態で柄の部分を回転させ固定すれば、デッキブラシとして使用することもできる。このように１本で複数の機能を有する掃除用具を提供できる。【０００８】  また、従来は用途別に複数本の掃除用具を保管していたが、本発明の掃除用具は複数の機能を要するため１本の保管でよく、またヘッドを折り畳んだ状態で収納できるので、その保管スペースも小さくて済むという利点もある。
【図面の簡単な説明】
【０００９】
【図１】ヘッドの伸長時の実施形態を示す正面図（実施例１）
【図２】ヘッドの折り畳み時の実施形態を示す斜視図（実施例２）
【図３】デッキブラシとしての実施形態を示す斜視図（実施例３）
【発明を実施するための形態】
【００１０】  １はヘッドで、三つ分割されている。２は分割したヘッドをつなぎ合わせる蝶番等の屈曲部品で、金属やプラスチック製の蝶番以外に、テープ類、ゴムなども使用できる。また屈曲部は眼鏡の蝶番ように分割ヘッドの内側接点部に蝶番を付けてもよく、更には一体成型の蝶番でもよい。
【００１１】  ３は伸長時の接合凹部、４は伸長時の接合凸部、５は折り畳み時の接合凹部、６は折り畳み時の接合凸部で、３と４または５と６のように、お互いの凹凸部で噛み合わせることで、掃除中にヘッドが外れないように固定する。また、噛み合わせた凹凸接点の密着強度を上げるために、マジックテープ、磁石、クリップおよびボタン等を併用してもよい。
【００１２】  角度調整ネジ７はヘッドに対して柄の角度を０から１８０度まで変えることのできるネジで、作業しやすい角度に自由に調整することができる。
【００１３】  ヘッド１を柄８の根元で回転することができ、柄を固定させることができる。
【００１４】  伸縮ネジ９で柄の長さを調整できる。
【実施例１】
【００１５】  図１は、ヘッドの幅の長いほうきとしての使用例であり、３と４の接合部でヘッドを連結して、比較的広い場所の掃き掃除の際に使用する。
【実施例２】
【００１６】  図２は、ヘッドを短くした使用例であり、２の蝶番でヘッドを折りたたみ、５と６の接合部ヘッドを連結する。ヘッドの長さが１／３となるので、狭い隙間や溝の掃き掃除を効率よくできる。
【実施例３】
【００１７】  図３は、デッキブラシとしての使用例であり、図２のヘッドを折り畳んだ実施例から、ヘッドを柄の根元から９０度ずらして固定する。角度調整ネジ７でヘッドに対する柄の角度を作業しやすいように調整して使用する。【００１８】  また、折り畳んだヘッドをより強固に固定するために、ヘッド同士をバンドで固定させてもよい。【００１９】  ブラシの素材をより硬いもの、塩化ビニールやナイロンなどの化学繊維、植物繊維または金属繊維を使用してもよい。
【符号の説明】
【００２０】  １    ヘッド
２    蝶番
３    伸長時の接合凹部
４    伸長時の接合凸部
５    折り畳み時の接合凹部
６    折り畳み時の接合凸部
７    角度調整ネジ
８    柄
９    伸縮ネジ
【図１】
2018068998.tif 000003
【図２】
2018068998.tif 000004
【図３】
2018068998.tif 000005
(57)【要約】【課題】痔が出て痛むとき、この痛みを解消するために、痔を押し込んで留めておく器具を提供する。【解決手段】器具を挿入する事により、本体１が肛門内の痔を押さえ、２の溝が塗り薬を留め３のくびれにより体外に出るのを防ぎ、４のストッパーが肛門内に入るのを防ぐので、痛みを取り除き普段の生活が出来る様になる。５の紐取付穴は、もしも器具が体内に入ってしまった時に引き出せるように紐を取り付ける為の穴である。【選択図】図１
2018068997.tif 000002
【特許請求の範囲】
【請求項１】
痔の痛みを和らげる手段として、挿入する先端に丸みを持たせ、途中に溝を入れ後部には器具が体内に入るのを防ぎ、又抜けてしまうのを防ぐために、くびれを作り、下部には使用時に必要な摘まむ部位を取り付けた挿入器具で、痔を押し込んで押し込んだ痔が器具によって体内に収まり、肛門外に出ないようにした肛門の栓である。
【請求項２】
肛門の栓である器具には周囲に溝を入れて、市販されている痔の塗り薬が溝に留まり、直接患部に接する様にした器具である。
【請求項３】
前記の器具は、長さ、太さ、溝の数等、使用者の体系等により大きさを選択する事ができるように、サイズは大中小等種類を取り入れた器具である。
【発明の詳細な説明】
【技術分野】
【０００１】本発明は、痔核（いぼ痔）が体外に出て痛むのを解消するために、痔を体内に押し込んで、押し込んだ痔が肛門内に留まるようにしたものである。
【背景技術】
【０００２】従来は、座薬か塗り薬、又は痔の部分を外部からバンドで押さえるだけの物しかなく、座薬は挿入すると痔も一緒に体内に入って一時的には楽にはなりますが座薬は直接腸内に行ってしまい、患部にはとどまらず、しばらくして気が付くといつのまにか又痔が出ていてとの繰り返しでした。塗り薬は炎症は抑えますが即効性がなく、バンドは装着が面倒でズレの心配もあり、汚れの対策も考えると使用しにくいもので、本発明の様な即効性のある簡単な挿入器具はなかった。
【発明の開示】
【発明が解決しようとする課題】
【０００３】痔は出てしまうと薬だけではなかなか治らず、横になって指で押し込んでいると出なくなると医者に言われましたが、長時間この状態でいると指先が痺れてしまい、そのうえ他の事が何もできないという難点があった。
いぼ痔は、体内に押し込まれている状態では痛みも無く、痔のことは忘れてしまい普段の生活が出来る様になるので、本発明はこの課題を解消するためになされたものである。
【課題を解決するための手段】
【０００４】痔を体内に押し込み、挿入しやすくロケットのような形にして、中間部を膨らませ下部にくびれをいれ、後部はストッパーと摘まみを付け、中間部には溝を入れ薬が塗り込まれる様にした。器具を挿入する事によって、痔を体内に留まるよにし器具の中間の溝に塗り薬が塗り込まれて、薬が直接患部に触れるようにした。
【発明の効果】
【０００５】痔になっても器具を使用して、従来の座薬・塗り薬と併用する事により痛みも無くなり、自分が痔で悩んでいるのを忘れて普段の生活が出来る。
【実施例１】
【０００６】自分自身が痔に悩まされたとき、この器具（図１）を考えて使用したところ痛みが無くなり使用感もほとんどないので，痔のことを忘れて生活する事ができた。
【実施例２】
【０００７】友人の息子さんが痔で悩んでいると聞いたので、自分が楽になったのだから他の人にも効くだろうと思い、同じ器具を使用（図５）してもらったところ痛みも無く、痔のことを忘れて仕事ができたと大変喜ばれました。
【図面の簡単な説明】
【０００８】
【図１】本発明の正面図である。
【図２】本発明の側面図である。
【図３】本発明の上面図である。
【図４】本発明の下図面である。
【図５】本発明の使用状態を示す応用図である。
【符号の説明】
【０００９】１  器具本体
２  塗り薬を留める溝
３  くびれ
４  ストッパー
５  紐取付穴
【図１】
2018068997.tif 000003
【図２】
2018068997.tif 000004
【図３】
2018068997.tif 000005
【図４】
2018068997.tif 000006
【図５】
2018068997.tif 000007